(57)【要約】【課題】撮像素子の撮像面側に配置された光学素子に付着した異物の除去を早期に開始することができるカメラを提供する。【解決手段】撮像素子の撮像面側に配置された光学素子に付着した異物を除去する異物除去部と、前記異物除去部の作動を制御する第１制御部と、前記異物除去部及び前記第１制御部に対して電池から電源供給を行う電源供給部と、電源スイッチが投入されたことにより前記電源供給部に対して前記異物除去部及び前記第１制御部への電源供給の開始を指示する第２制御部と、前記電源スイッチが投入された直後に前記電池の電圧を検出する電圧検出部と、前記電圧検出部により検出した前記電圧が所定のレベルよりも高い場合に、前記第１制御部は、前記異物除去部の作動を開始させる。【選択図】図２
2011107560.tif 000002
【特許請求の範囲】
【請求項１】
撮像素子の撮像面側に配置された光学素子に付着した異物を除去する異物除去部と、
前記異物除去部の作動を制御する第１制御部と、
前記異物除去部及び前記第１制御部に対して電池から電源供給を行う電源供給部と、
電源スイッチが投入されたことにより前記電源供給部に対して前記異物除去部及び前記第１制御部への電源供給の開始を指示する第２制御部と、
前記電源スイッチが投入された直後に前記電池の電圧を検出する電圧検出部と、
前記電圧検出部により検出した前記電圧が所定のレベルよりも高い場合に、前記第１制御部は、前記異物除去部の作動を開始させることを特徴とするカメラ。
【請求項２】
前記異物除去部の作動を行うか否かを設定する設定部を備え、
前記第１制御部は、前記電圧検出部により検出した前記電圧が所定のレベルよりも高く、かつ前記設定部に前記異物除去部の作動を行う旨の設定が行われている場合に、前記前記異物除去部の作動を開始させることを特徴とする請求項１記載のカメラ。
【請求項３】
前記電圧検出部による前記電圧の検出と並行して、
前記第２制御部は前記電池との間で前記電池の容量を取得するための通信を行うことを特徴とする請求項１または２記載のカメラ。
【発明の詳細な説明】
【技術分野】
【０００１】
本発明はカメラに関するものである。
【背景技術】
【０００２】
従来、撮像素子の前面に配置された光学素子に付着した塵等の異物を除去する機能を備えたカメラが存在する（例えば、特許文献１参照）。
【先行技術文献】
【特許文献】
【０００３】
【特許文献１】特開２００８−５１９７１号公報
【発明の概要】
【発明が解決しようとする課題】
【０００４】
ところで、異物を除去する機能を備えたカメラにおいては、電源を制御する電源制御部と電池との間で電池容量を検出するための通信を行い、電池容量が十分であると判定した後に電源制御部と異物除去部を制御する他の制御部との間で通信を行い、他の制御部により異物除去部を起動する場合があり、異物の除去を開始するまでに時間がかかる場合があった。
【０００５】
本発明の目的は、撮像素子の撮像面側に配置された光学素子に付着した異物の除去を早期に開始することができるカメラを提供することである。
【課題を解決するための手段】
【０００６】
本発明のカメラは、撮像素子の撮像面側に配置された光学素子に付着した異物を除去する異物除去部と、前記異物除去部の作動を制御する第１制御部と、前記異物除去部及び前記第１制御部に対して電池から電源供給を行う電源供給部と、電源スイッチが投入されたことにより前記電源供給部に対して前記異物除去部及び前記第１制御部への電源供給の開始を指示する第２制御部と、前記電源スイッチが投入された直後に前記電池の電圧を検出する電圧検出部と、前記電圧検出部により検出した前記電圧が所定のレベルよりも高い場合に、前記第１制御部は、前記異物除去部の作動を開始させることを特徴とする。
【発明の効果】
【０００７】
本発明のカメラによれば、撮像素子の撮像面側に配置された光学素子に付着した異物の除去を早期に開始することができる。
【図面の簡単な説明】
【０００８】
【図１】実施の形態に係るカメラの概略構成を示す断面図である。
【図２】実施の形態に係るカメラの制御回路を示す図である。
【図３】実施の形態に係るカメラにおける電源レベル検出回路を示す図である。
【発明を実施するための形態】
【０００９】
以下、図面を参照して本発明の実施の形態に係るカメラについて説明する。図１は、実施の形態に係るカメラの概略構成を示す断面図である。カメラ２は筐体４及び筐体４に着脱可能な撮影レンズ６を備えて構成されている。筐体４の内部には被写体を撮影するためのＣＣＤ、ＣＭＯＳ等により構成される撮像素子８が配置されており、撮像素子８の前面にはローパスフィルタ１０が配置されている。ローパスフィルタ１０には、ローパスフィルタ１０の表面に付着した異物を除去するために、ローパスフィルタ１０に振動を加えるアクチュエータ１２とアクチュエータ１２を制御する駆動回路１４とから構成されるＩＳＣモジュール１５が接続されている。また、ローパスフィルタ１０の前方には撮像素子８の受光面に形成される被写体の像の露光時間を調節するために開閉動作するシャッタ１６が配置され、シャッタ１６の前方には被写体光の進路を図示しない光学ファインダ方向と撮像素子８方向へ切換えるミラー１８が回動可能に軸支されている。
【００１０】
図２は、実施の形態に係るカメラの制御回路を示す図である。カメラ２は電源供給を制御する第２ＣＰＵ３０及びＩＳＣモジュール１５、撮像素子８、シャッタ１６、ミラー１８及び図示しないメモリ等の作動を制御する第１ＣＰＵ３２を備えている。第２ＣＰＵ３０には、電源スイッチ３４、電源スイッチ３４がオフ状態のときも電池４２から第２ＣＰＵ３０に電源供給を行う常時給電部４０が接続されている。ここで、電池４２には容量演算機能及び通信機能を有するインテリジェント電池が用いられている。また、第２ＣＰＵ３０には、電池通信ライン６８を介して電池４２が接続され、ＤＣ／ＤＣ起動制御信号ライン７０を介して電池４２から電源供給を行うＤＣ／ＤＣコンバータ３６及び電池４２の電圧レベルを検出する電源レベル検出回路３８が接続されている。さらに、第２ＣＰＵ３０と第１ＣＰＵ３２はマイコン間通信ライン６９を介して接続されている。また、第１ＣＰＵ３２には、電源レベル検出信号ライン７４を介して電源レベル検出回路３８が接続され、ＩＳＣ制御信号ライン７６を介してＩＳＣモジュール１５が接続されている。なお、図中の太線は電池４２から各部に対する電源供給を行うルートである電源供給ライン６０を示している。
【００１１】
図３は、実施の形態に係るカメラの電源レベル検出回路３８を示す図である。電源レベル検出回路３８内には、ＤＣ／ＤＣ起動制御信号がＨＩＧＨの場合にオンに設定されるスイッチ４８、基準電圧を生成するレギュレータ４９、二つの入力端子を有し両入力端子の電圧レベル（ポイントａとｂの電圧レベル）を比較して出力端子（ポイントｃ）の電位を決定するコンパレータ５０、抵抗Ｒ１、抵抗Ｒ２、コンデンサＣが備えられている。ここで、図中のポイントｄは電池４２に接続され、レギュレータ４９により基準電圧が生成される。
【００１２】
次に、図２を参照して実施の形態に係るカメラ２による動作処理について説明する。電源スイッチ３４がオンされると第２ＣＰＵ３０が初期化を開始する。初期化が終了すると、第２ＣＰＵ３０は、ＤＣ／ＤＣコンバータ３６に対してＤＣ／ＤＣ起動制御信号ライン７０を介して伝達されるＤＣ／ＤＣ起動制御信号をＬＯＷからＨＩＧＨに切換える。ＤＣ／ＤＣコンバータ３６は、ＤＣ／ＤＣ起動制御信号がＨＩＧＨになると電源供給ライン６０を介して第２ＣＰＵ３０、電源レベル検出回路３８、第１ＣＰＵ３２、及びＩＳＣモジュール１５等に対して所定の電圧レベルにて電源供給を行う。なお、電源供給が行われると第１ＣＰＵ３２は初期化を開始する。
【００１３】
また、ＤＣ／ＤＣ起動制御信号がＨＩＧＨになると、電源レベル検出回路３８により電池４２の電圧の検出が開始される。即ち、通常電源レベル検出回路３８においては、図３に示すように、コンパレータ５０の一方の端子にはレギュレータ４９から基準電圧が印加され、スイッチ４８はオフ状態であるため、コンパレータ５０の出力端子から出力されるＤＣ／ＤＣ起動制御信号はＬＯＷである。ＤＣ／ＤＣ起動制御信号がＬＯＷからＨＩＧＨに切換わるとスイッチ４８がオンに設定され、抵抗Ｒ１、ポイントｂを介してコンデンサＣに対して蓄電が開始される。これにより、ポイントｂの電圧レベルが徐々に上昇し、ポイントｂの電圧レベルがポイントａの基準電圧を超えたときに、コンパレータ５０の出力がＬＯＷからＨＩＧＨに切換わり、ＨＩＧＨに切換えられた電源レベル検出信号を、電源レベル検出信号ライン７４を介し第１ＣＰＵ３２に対して出力する。
【００１４】
第１ＣＰＵ３２は、初期化終了後、ＨＩＧＨレベルの電源レベル検出信号が印加されている場合には、直ちにＩＳＣ制御信号ライン７６を介してＩＳＣモジュール１５に対して作動を開始させるためのＩＳＣ制御信号を出力する。ＩＳＣモジュール１５は、ＩＳＣ制御信号により作動を開始する。即ち、ＩＳＣモジュール１５は撮像素子８の前面に配置されているローパスフィルタ１０に振動を加え、表面に付着した異物の除去を開始する。一方、電源レベル検出信号がＬＯＷの状態を維持している場合、第１ＣＰＵ３２は撮影待機状態を維持して消費電力を抑制する。
【００１５】
この実施の形態に係るカメラ２によれば、電源スイッチ３４をオンにした際に撮像素子の撮像面側に配置された光学素子に付着した異物の除去を早期に開始することができる。そのため、電源スイッチ３４をオンにした後速やかに撮影を開始することができる。
【００１６】
なお、上述の実施の形態においては、電源レベル検出回路３８において電池４２の電圧レベルを検出することにより早期にＩＳＣモジュール１５の作動を開始させる動作処理と並行して、通常の動作処理も行われる。即ち、第２ＣＰＵ３０は初期化終了後、電池４２との間で電池通信ライン６８を介して通信を開始し、電池４２の容量を取得する。そして、電池４２の容量が十分であると判定した場合にはマイコン間通信ライン６９を介して第１ＣＰＵ３２との間で通信を開始する。ここで、マイコン間通信ライン６９を介した通信は第１ＣＰＵ３２の初期化終了後に行われる。通信完了後、第１ＣＰＵ３２は、撮像素子８、シャッタ１６、ミラー１８等の撮影機能を制御する各部の作動を開始させ、操作者の操作による撮影が可能となる。
【００１７】
また、上述の実施の形態において、電源スイッチ３４をオンしたときにＩＳＣモジュール１５を作動させるか否かを予め設定し、その旨を第１ＣＰＵ３２内部の図示しないメモリに記憶するようにしてもよい。この場合、電源スイッチ３４をオンしたときに、ＩＳＣモジュール１５を作動させる旨の設定が行われ、かつ電源レベル検出信号がＨＩＧＨである場合にＩＳＣモジュール１５を作動させる。これにより、操作者の操作によりＩＳＣモジュール１５を作動させるか否かを設定することができ、操作者が必要ないと考えた場合にはＩＳＣモジュール１５を作動させないようにすることができる。なお、ＩＳＣモジュール１５を作動させるか否かの設定は第１ＣＰＵ３２の外部に設けられたメモリに記憶するようにしてもよい。
【００１８】
また、上述の実施の形態においては、電池４２には容量演算機能及び通信機能を有するインテリジェント電池が用いられているが、通信機能のみを有する電池を用いてもよい。この場合、第２ＣＰＵ３０において容量演算を行う。
【符号の説明】
【００１９】
２…カメラ、４…筐体、６…撮影レンズ、８…撮像素子、１０…ローパスフィルタ、１２…アクチュエータ、１４…駆動回路、１５…ＩＳＣモジュール、１６…シャッタ、１８…ミラー。
【図１】
2011107560.tif 000003
【図２】
2011107560.tif 000004
【図３】
2011107560.tif 000005